(57)【要約】【課題】廃棄部品の発生を無くし、環境保護に貢献できる画像形成装置を提供する。【解決手段】ケーブル接続用のコネクタ１４が設けられたＩ／Ｆボード１１を接続するためにＩ／Ｆ取付部１０が備えられた画像形成装置２００において、Ｉ／Ｆ取付部１０を塞ぐためのコネクタ配設パネル１２と、コネクタ配設パネル１２に取り付けられる切替板１５とを有し、コネクタ配設パネル１２にはコネクタ１４が露出する開口部１３が穿設され、切替板１５にはコネクタ１４が露出する窓部１７が穿設されると共に開口部１３を遮蔽するための遮蔽部１６が設けられ、Ｉ／Ｆボード１１を接続するときは、窓部１７が開口部１３に重なるように切替板１５の取付態様をコネクタ配設パネル１２に対して変更する。【選択図】　　　図１
2004042324.tif 000002
【特許請求の範囲】
【請求項１】
ケーブル接続用のコネクタが設けられたＩ／Ｆボード若しくはＩ／Ｆカードを接続するためにＩ／Ｆ取付部が備えられた画像形成装置において、前記Ｉ／Ｆ取付部を塞ぐためのコネクタ配設パネルと、前記コネクタ配設パネルに取り付けられる切替板とを有し、前記コネクタ配設パネルには前記コネクタが露出する開口部が穿設され、前記切替板には前記コネクタが露出する窓部が穿設されると共に前記開口部を遮蔽するための遮蔽部が設けられ、前記Ｉ／Ｆボード若しくはＩ／Ｆカードを接続するときは、前記窓部が前記開口部に重なるように前記切替板の取付態様を前記コネクタ配設パネルに対して変更することで前記コネクタが露出するようになされたことを特徴とする画像形成装置。
【請求項２】
前記切替板には前記Ｉ／Ｆボード若しくはＩ／Ｆカードを固定するための固定部が一体的に設けられたことを特徴とする請求項１記載の画像形成装置。
【請求項３】
前記切替板は前記コネクタ配設パネルに対してスライド可能に取り付けられ、前記切替板をスライドさせることで前記窓部が前記開口部に重なるようになされたことを特徴とする請求項１又は２記載の画像形成装置。
【請求項４】
前記切替板は前記窓部が穿設される第１の面と前記遮蔽部が設けられる第２の面を有し、前記第１の面と前記第２の面は互いに直角となるように構成され、前記Ｉ／Ｆボード若しくはＩ／Ｆカードの有無に応じて前記第１の面あるいは前記第２の面が前記コネクタ配設パネルに対向するように取りけられることを特徴とする請求項１記載の画像形成装置。
【請求項５】
前記第２の面には前記Ｉ／Ｆボード若しくはＩ／Ｆカードを固定するための固定部が一体的に設けられたことを特徴とする請求項４記載の画像形成装置。
【請求項６】
前記切替板は前記コネクタ配設パネルに回動自在に取り付けられ、前記切替板を回動させることで前記窓部が前記開口部に重なる位置に配されるようになされたことを特徴とする請求項１記載の画像形成装置。
【請求項７】
前記切替板には前記Ｉ／Ｆボード若しくはＩ／Ｆカードを固定するための固定部が一体的に設けられたことを特徴とする請求項６記載の画像形成装置。
【発明の詳細な説明】
【０００１】
【発明の属する技術分野】
本発明は、複写機、ファクシミリ、プリンタ等でＩ／Ｆボード若しくはＩ／Ｆカードの装着が可能な画像形成装置に関するものである。
【０００２】
【従来の技術】
昨今の画像形成装置では、プリンタだけでなく、例えばデジタル化された複写機までも機能の複合化に伴いＩ／Ｆを介してパーソナルコンピュータ等の外部機器との接続が可能になってきている。
パーソナルコンピュータ等との接続を考慮しているので、当然、Ｉ／Ｆコネクタとしてパラレルコネクタを持っているものが多い。また、これ以外にもネットワーク上に直接接続できるようにするためのネットワークコネクタやシリアルコネクタ、ＵＳＢコネクタ、ＩＥＥＥ１３９４コネクタ、さらには、無線ＬＡＮ機能までも装備できるようになってきている。このようなＩ／Ｆの種類は、今後もさらに増えていくと考えられる。
図１０は画像形成装置としてのプリンタ１００を示す図である。同図において、画像形成装置におけるＩ／Ｆ接続の一例を説明する。プリンタ１００には一方の側面にＩ／Ｆ取付部１が設けられており、ここには上述のような複数のこの例ではＩ／Ｆボードの取り付けが可能となっている。通常、多くのＩ／Ｆボードを同時に使用する機会は少ない。そのため、プリンタ１００では、ユーザーが主として必要とすると考えられる主要なＩ／Ｆボード２を中心に標準装着し、装着していないものは増設用のＩ／Ｆボードをオプションとして後から選択し接続するようになっている。この場合、ユーザーはプリンタ１００の使用環境に合ったＩ／Ｆボードのみを購入すれば良いため、コストメリットが高く、メーカーも装置コストを下げることができる。
また、Ｉ／Ｆ取付部１にはこれをプリンタ１００の背面側から塞ぐためのコネクタ配設パネル５が配設され、プリンタ１００の背面の一部を構成している。コネクタ配設パネル５には複数の開口部３が穿設されており、ここからＩ／Ｆボード２に設けられたケーブル接続用のコネクタ４が露出するようになっている。Ｉ／Ｆコネクタの形状は様々であるので、開口部３はそれぞれその形状に対応したものとなっている。Ｉ／Ｆボードが取り付けられていない部分の開口部３は開口した状態となり、防塵と安全のために好ましくない。そのため、Ｉ／Ｆボードを取り付けていない場合は、そこに対応する開口部分を塞ぐために、図１０のように遮蔽板６が取り付けられている。
遮蔽板６は薄い板状で取付部１の内側から配され、取付部１の外側から２個の固定ネジ７によって締付け固定されている。固定ネジ７を緩めて遮蔽板６を取り外せば増設用のＩ／Ｆボードの取り付けができる。
【０００３】
【発明が解決しようとする課題】
ところで、ユーザーやカスタマーエンジニアがＩ／Ｆボードを増設した後には、取り外した遮蔽板は不要となり、廃棄することになる。しかし、部品の廃棄は環境に対して悪影響を招き、問題となる。
そこで、本発明では、上述の問題点Ｉ／Ｆボードを増設した後に発生する廃棄部品を無くし、環境保護に貢献できる画像形成装置を提供するものである。
【０００４】
【課題を解決するための手段】
前記の課題を解決するために、請求項１記載の発明では、ケーブル接続用のコネクタが設けられたＩ／Ｆボード若しくはＩ／Ｆカードを接続するためにＩ／Ｆ取付部が備えられた画像形成装置において、前記Ｉ／Ｆ取付部を塞ぐためのコネクタ配設パネルと、前記コネクタ配設パネルに取り付けられる切替板とを有し、前記コネクタ配設パネルには前記コネクタが露出する開口部が穿設され、前記切替板には前記コネクタが露出する窓部が穿設されると共に前記開口部を遮蔽するための遮蔽部が設けられ、前記Ｉ／Ｆボード若しくはＩ／Ｆカードを接続するときは、前記窓部が前記開口部に重なるように前記切替板の取付態様を前記コネクタ配設パネルに対して変更することで前記コネクタが露出するようになされた画像形成装置を最も主要な特徴とする。
請求項２記載の発明では、前記切替板には前記Ｉ／Ｆボード若しくはＩ／Ｆカードを固定するための固定部が一体的に設けられた画像形成装置を主要な特徴とする。
請求項３記載の発明では、前記切替板は前記コネクタ配設パネルに対してスライド可能に取り付けられ、前記切替板をスライドさせることで前記窓部が前記開口部に重なるようになされた画像形成装置を主要な特徴とする。
請求項４記載の発明では、前記切替板は前記窓部が穿設される第１の面と前記遮蔽部が設けられる第２の面を有し、前記第１の面と前記第２の面は互いに直角となるように構成され、前記Ｉ／Ｆボード若しくはＩ／Ｆカードの有無に応じて前記第１の面あるいは前記第２の面が前記コネクタ配設パネルに対向するように取りけられる画像形成装置を主要な特徴とする。
請求項５記載の発明では、前記第２の面には前記Ｉ／Ｆボード若しくはＩ／Ｆカードを固定するための固定部が一体的に設けられた画像形成装置を主要な特徴とする。
請求項６記載の発明では、前記切替板は前記コネクタ配設パネルに回動自在に取り付けられ、前記切替板を回動させることで前記窓部が前記開口部に重なる位置に配されるようになされた画像形成装置を主要な特徴とする。
請求項７記載の発明では、前記切替板には前記Ｉ／Ｆボード若しくはＩ／Ｆカードを固定するための固定部が一体的に設けられた画像形成装置を主要な特徴とする。
【０００５】
【発明の実施の形態】
以下、図面により本発明の実施の形態を詳細に説明する。図１は本発明の実施の形態の第１例である画像形成装置２００を正面側から見た斜視図である。説明の都合上、画像形成装置２００の一方の側面側のカバーを外した状態を示す。同図に示すように、画像形成装置２００はＩ／Ｆ取付部１０を有し、種類の異なる複数のＩ／Ｆボードの増設が可能となっている。ここでは、ネットワークボードとしてのＩ／Ｆボード１１をＩ／Ｆ取付部１０に増設する場合について説明する。
Ｉ／Ｆ取付部１０には画像形成装置２００の背面の一部を構成するコネクタ配設パネル１２が設けられている。コネクタ配設パネル１２にはＩ／Ｆボードの数に対応して複数の開口部１３が穿設されており、Ｉ／Ｆボード１１の取付位置に対応する開口部１３からはＩ／Ｆボード１１に設けられたケーブル接続用のコネクタ１４が装置の背面側に露出するようになっている。
Ｉ／Ｆボード１１を取り付けるまでは、その取付位置に対応する開口部１３は開口されたままとなり、防塵と安全のためには好ましくない。そのため、切替板１５がコネクタ配設パネル１２の裏側から取り付けられ、開口部１３を遮蔽している。
図２に示すように、切替板１５はこの例では矩形の薄い板状であり、遮蔽部１６が設けられると共にその同一面内に矩形の窓部１７が穿設されている。また、切替板１５には遮蔽部１６と窓部１７を避けた位置に４つの丸孔１８が穿設され、切替板１５の取付向きに応じて２つの丸孔１８がねじ止め用に使われる。さらに、切替板１５には２個の固定部２０が一体的に突設され、そこにはネジ孔２１がそれぞれ穿設されている。
一方、図１において、コネクタ配設パネル１２には２個の保持部材１９が固定されており、これら保持部材１９とコネクタ配設パネル１２とで構成される空間に摺動可能に切替板１５が配される。
【０００６】
さて、切替板１５の各部について図１を用いて説明すれば、遮蔽部１６は開口部１３を遮蔽し、窓部１７はコネクタ１４を露出させる機能を有する。そして、丸孔１８に挿通した２個の固定ネジ７が保持部材１９に螺合されることで切替板１５がコネクタ配設パネル１２にねじ止めされる。また、固定部２０のネジ孔２１はＩ／Ｆボード１１に穿設されている２つの孔２２の位置に対応しており、孔２２に挿通したネジが固定部２０に螺合することでＩ／Ｆボード１１がＩ／Ｆ取付部１０に締付け固定されるようになされている。
図１における切替板１５はＩ／Ｆボード１１が増設される前の状態であるため、遮蔽部１６が開口部１３に対向する位置となるように切替板１５が配置され、コネクタ配設パネル１２に取り付けられている。Ｉ／Ｆボード１１を増設するときは、固定ネジ７を一旦外し、窓部１７が開口部１３と重なる位置に切替板１５をスライドさせ、固定ネジ７によってコネクタ配設パネル１２に締付け固定すればよい。図３はＩ／Ｆボード１１が取り付けられたＩ／Ｆ取付部１０を表側と裏側から見た状態である。この図のように、固定ネジ７はコネクタ配設パネル１２の表側から締め付けられる。
このように、本発明の実施の形態の第１例によれば、Ｉ／Ｆボード１１のコネクタ１４を露出させるためにはコネクタ配設パネル１２に対する切替板１５の取付位置を変更すればよいので、廃棄部品の発生を招くことがなく、環境保護に貢献することができる。また、固定部２０を切替板１５に一体形成しているので、部品点数の削減により、製造コストを低減することができる。
【０００７】
続いて、本発明の実施の形態の第２例について説明する。図４は本発明の実施の形態の第２例である画像形成装置３００の斜視図である。なお、実施の形態の第１例と同様の部分については同一符号を付し、その詳細な説明は省略する。画像形成装置３００では、図４のように、開口部１３を塞ぐための切替板３０が互いに直角な２つの面で構成される。
まず、図５を用いて切替板３０について説明する。切替板３０は薄板が直角に折曲され、折曲部分を境にして第１の面３１と第２の面３２とが形成されている。第１の面３１にはコネクタ１４（図４）を露出させるための矩形の窓部３３が穿設され、第２の面３２には開口部１３（図４）を遮蔽するための遮蔽部３４が設けられている。また、窓部３３と遮蔽部３４を避けるようにして第１の面３１と第２の面３２のそれぞれに２つの丸孔３５が穿設されており、これらは切替板３０の取付向きに応じてねじ止め用に使われる。さらに、切替板３０の第２の面３２には固定部３６として２つのネジ孔が穿設されている。
このように構成された切替板３０は図４のように、保持部材１９とコネクタ配設パネル１２とで構成される空間に配される。そして、４つのうちの２つの丸孔３５に挿通した２個の固定ネジ７が保持部材１９に螺合することで切替板３０がコネクタ配設パネル１２にねじ止めされる。さらに、Ｉ／Ｆボード１１が上述の固定部３６（図５）に締付け固定されてＩ／Ｆ取付部１０への取り付けが完了する。
図４における切替板３０はＩ／Ｆボード１１が増設される前の状態であるため、遮蔽部３４が開口部１３に対向する位置となるように切替板３０が配置され、コネクタ配設パネル１２に取り付けられている。Ｉ／Ｆボード１１を増設するときは、固定ネジ７を一旦外し、窓部３３が開口部１３と重なるように第１の面３１をコネクタ配設パネル１２に対向させて切替板３０を配置し、固定ネジ７によって締付け固定すればよい。図６はＩ／Ｆボード１１が取り付けられたＩ／Ｆ取付部１０を表側と裏側から見た状態である。この図のように、固定ネジ７はコネクタ配設パネル１２の表側から締め付けられる。
このように、本発明の実施の形態の第２例によれば、Ｉ／Ｆボード１１のコネクタ１４を露出させるためには第１の面３１がコネクタ配設パネル１２に対向するように切替板３０を取り付ければよいので、廃棄部品の発生がなく、環境保護に貢献することができる。また、固定部３６を切替板３０に一体形成しているので、部品点数の削減により、製造コストを低減することができる。
【０００８】
続いて、本発明の実施の形態の第３例について説明する。図７は本発明の実施の形態の第３例である画像形成装置４００の斜視図である。なお、この場合も実施の形態の第１例と同様の部分については同一符号を付し、その詳細な説明は省略する。切替板４０は図７に示すように、回動自在に取り付けられ、これにより、開口部１３が開閉されるようになされている。
図８に示すように、薄板状の切替板４０には矩形の窓部４１が穿設されると共に遮蔽部４２が設けられている。また、切替板４０の一方の端部であって、回動時の支点となる部分には丸孔４３が穿設されている。そして、切替板４０の一部が直角に折曲されることで２個の固定部４４が形成されている。固定部４４にはネジ孔４５がそれぞれ穿設されている。さらに、丸孔４３の近傍には切替板４０をコネクタ配設パネル１２に締め付け固定するためのネジ孔４６が１つ穿設されている。
このように構成された切替板４０は図７のように、ピン４１によってコネクタ配設パネル１２に回動自在に取り付けられ、ネジ孔４６にはコネクタ配設パネル１２の表側から固定ネジ７が螺合される。そのため、螺合した固定ネジ７が切替板４０と共に回動できるように固定ネジ７の移動範囲に応じて円弧孔４７がコネクタ配設パネル１２に穿設されている。また、Ｉ／Ｆボード１１の２つの孔２２に挿通したネジが固定部４４のネジ孔４５に螺合することでＩ／Ｆボード１１がＩ／Ｆ取付部１０に締付け固定される。
図７における切替板４０はＩ／Ｆボード１１が増設される前の状態であるため、遮蔽部４２が開口部１３に対向する位置となるように切替板４０が回動され、コネクタ配設パネル１２に取り付けられている。Ｉ／Ｆボード１１を増設するときは、固定ネジ７を緩め、窓部４１が開口部１３と重なるように切替板４０を回動し、再び固定ネジ７によって締付け固定すればよい。なお、図９はＩ／Ｆボード１１が取り付けられたＩ／Ｆ取付部１０を表側と裏側から見た状態である。
このように、本発明の実施の形態の第３例によれば、Ｉ／Ｆボード１１のコネクタ１４を露出させるためには窓部４１が開口部１３と重なるように切替板４０を回動すればよいので、廃棄部品の発生がなく、環境保護に貢献することができる。また、切替板４０を回動させるだけで開口部１３を開閉できるので、操作が簡単である。さらに、固定部４４を切替板４０に一体形成しているので、部品点数の削減により、製造コストを低減することができる。
なお、この実施の形態では、Ｉ／Ｆボード１１としてネットワークボードを用いた例を示したが、他の種類のＩ／Ｆボードに対応させることもできる。また、この例ではＩ／Ｆボードが取り付けられる場合を説明したが、これに限定されることはなく、この発明はＩ／Ｆカードを用いた場合にも適用できる。
【０００９】
【発明の効果】
以上説明したように、請求項１〜３の画像形成装置によれば、Ｉ／Ｆボードのコネクタを露出させるためにはコネクタ配設パネルに対する切替板の取付位置を変更すればよいので、廃棄部品の発生がなく、環境保護に貢献することができる。また、固定部を切替板に一体形成しているので、部品点数の削減により、製造コストを低減することができる。
請求項４〜５の画像形成装置によれば、Ｉ／Ｆボードのコネクタを露出させるためには第１の面がコネクタ配設パネルに対向するように切替板を取り付ければよいので、廃棄部品の発生を招くことがなく、環境保護に貢献することができる。また、固定部を切替板に一体形成しているので、部品点数の削減により、製造コストを低減することができる。
請求項６〜７の画像形成装置によれば、Ｉ／Ｆボードのコネクタを露出させるためには窓部が開口部と重なるように切替板を回動すればよいので、廃棄部品の発生を招くことがなく、環境保護に貢献することができる。また、切替板を回動させるだけで開口部を開閉できるので、操作が簡単である。さらに、固定部を切替板に一体形成しているので、部品点数の削減により、製造コストを低減することができる。
【図面の簡単な説明】
【図１】本発明の実施の形態の第１例を示す図である。
【図２】切替板１５の斜視図である。
【図３】画像形成装置２００のＩ／Ｆ取付部１０を表側と裏側から見た図である。
【図４】本発明の実施の形態の第２例を示す図である。
【図５】切替板３０の斜視図である。
【図６】画像形成装置３００のＩ／Ｆ取付部１０を表側と裏側から見た図である。
【図７】本発明の実施の形態の第３例を示す図である。
【図８】切替板４０の斜視図である。
【図９】画像形成装置４００のＩ／Ｆ取付部１０を表側と裏側から見た図である。
【図１０】従来の画像形成装置としてのプリンタ１００を示す図である。
【符号の説明】
１，１０　Ｉ／Ｆ取付部、２，１１　Ｉ／Ｆボード、３，１３　開口部　、４，１４　コネクタ、５，１２　コネクタ配設パネル、６　遮蔽板、７　固定ネジ、１５，３０，４０　切替板、１６，３４，４２　遮蔽部、１７，３３，４１　窓部、１８，３５，４３　丸孔、１９　保持部材、２０，３６，４４　固定部、２１，４５，４６　ネジ孔、２２　孔、３１　第１の面、３２　第２の面、１００　プリンタ、２００　画像形成装置、３００　画像形成装置、４００　画像形成装置
【図１】
2004042324.tif 000003
【図２】
2004042324.tif 000004
【図３】
2004042324.tif 000005
【図４】
2004042324.tif 000006
【図５】
2004042324.tif 000007
【図６】
2004042324.tif 000008
【図７】
2004042324.tif 000009
【図８】
2004042324.tif 000010
【図９】
2004042324.tif 000011
【図１０】
2004042324.tif 000012